(57)【要約】【課題】  見返しを設けたうえで止水も確実に行い得る衣服の提供。【解決手段】  左右の前身ごろの合せ目部どうしがスライドファスナを介して着脱自在に設けられ、スライドファスナの一方のテープ部と、一方の前身ごろの合せ目側端部と、見返しの合せ目側端部とが重ねられ、テープ部および一方の前身ごろの合せ目側端部が縫着されるとともに、縫着部分に見返しの合せ目側端部が一体に設けられ、縫着部分において一方の前身ごろおよび見返しの裏面に亙すように止水テープが貼着され、スライドファスナを閉じた際に、エレメントどうしの噛合せ目から浸入した水および縫着部から浸入した水が後方へ移動するのを抑制する浸入防止手段が他方の前身ごろに設けられている構成の衣服。【選択図】  図２
2010163701.tif 000002
【特許請求の範囲】
【請求項１】
左右の前身ごろの合せ目部どうしがスライドファスナを介して着脱自在に設けられた衣服であって、
前記スライドファスナの一方のテープ部と、一方の前身ごろの合せ目側端部と、見返しの合せ目側端部とが重ねられ、前記テープ部および一方の前身ごろの合せ目側端部が縫着されるとともに、該縫着部分に見返しの合せ目側端部が一体に設けられ、前記縫着部分において一方の前身ごろおよび見返しの裏面に亙すように止水テープが貼着され、
スライドファスナを閉じた際に、該スライドファスナのエレメントどうしの噛合せ目から浸入した水および前記縫着部から浸入した水が後方へ移動するのを抑制する浸入防止手段が他方の前身ごろに設けられていることを特徴とする衣服。
【請求項２】
浸入防止手段は、スライドファスナを閉じた状態でスライドファスナの後側に対応し且つ丈方向に沿うよう設けられた止水面部と、該止水面部の幅方向一方端部から止水面部の表面側に戻るように折返されるとともに丈方向に沿う堰部とを備え、縫着部分はスライドファスナを閉じた状態で前記堰部の幅方向他方端部よりも他方の前身ごろ側に位置ずれしていることを特徴とする請求項１記載の衣服。
【請求項３】
見返しを構成する生地に丈方向の切目部が形成され、該切目部にポケット開口用スライドファスナが縫着されて見返しにポケットが取付けられ、前記ポケット開口用スライドファスナは、堰部に対して幅方向外側に配置されていることを特徴とする請求項２記載の衣服。
【請求項４】
左右の前身ごろおよび見返しは、表面側に撥水加工が施され裏面側は透湿性を有して、裏面側から止水テープに施した接着剤が浸透可能に構成されていることを特徴とする請求項１ないし請求項３の何れかに記載の衣服。
【発明の詳細な説明】
【技術分野】
【０００１】
本発明は、釣行などに着用するレインスーツなどの衣服に関し、特に衣服のうちの上着に関する。
【背景技術】
【０００２】
雨天時に着用される衣服（レインスーツ）として、例えば特許文献１に示す衣服が提案されている。
この種の衣服には、左右の前身ごろの合せ目部にスライドファスナ（そのテープ部）を縫着しているものがある。この合せ目部において、スライドファスナを縫着している部分の裏側には止水テープ（シームテープ）を貼着して水の浸入を抑制している。この止水テープは縫着部分を覆ってスライドファスナのテープ部と前身ごろを構成する身ごろ生地とに亙るように、丈方向に沿って貼着される。
【先行技術文献】
【特許文献】
【０００３】
【特許文献１】特開２００７−２３４１４号公報
【発明の概要】
【発明が解決しようとする課題】
【０００４】
しかしながら、スライドファスナのテープ部は表面が粗いから止水テープが貼着されにくく、身ごろ生地とスライドファスナの縫着部から浸入する水の止水を充分に行うことができないという課題がある。
ところで、衣服において、前身ごろの合せ目がめくれた際に、身ごろの裏面が露呈してしまうと見栄えが悪いことから、前身ごろの合せ部には「見返し」を設けることが考えられる。見返しは身ごろ生地と同じものが用いられるから、この種の衣服において見返しの見返し面（表面）には、防水処理や撥水処理が施されていることになる。
したがって、前身ごろの生地の表面が見返し面となるようにして、前身ごろ、スライドファスナ、および見返しを縫着し、見返しの見返し面に止水テープを貼着すると、防水処理や撥水処理によって止水テープの接着力が及ばず剥がれ易く、前身ごろ、スライドファスナ、および見返しの縫着部分から水が浸入し易くなってしまう。
【０００５】
そこで本発明は上記課題に鑑み、見返しを設けたうえで止水も確実に行い得る衣服の提供を目的とする。
【課題を解決するための手段】
【０００６】
本発明は、左右の前身ごろの合せ目部どうしがスライドファスナを介して着脱自在に設けられた衣服であって、前記スライドファスナの一方のテープ部と、一方の前身ごろの合せ目側端部と、見返しの合せ目側端部とが重ねられ、前記テープ部および一方の前身ごろの合せ目側端部が縫着されるとともに、該縫着部分に見返しの合せ目側端部が一体に設けられ、前記縫着部分において一方の前身ごろおよび見返しの裏面に亙すように止水テープが貼着され、スライドファスナを閉じた際に、該スライドファスナのエレメントどうしの噛合せ目から浸入した水および前記縫着部から浸入した水が後方へ移動するのを抑制する浸入防止手段が他方の前身ごろに設けられていることを特徴としている。
【０００７】
上記構成のようにして見返しを設けることで、縫着部から後方へ浸入してきた水は、一方の前身ごろと見返しの間においては、止水テープによって幅方向外側へ移動するのが抑制される。また、スライドファスナのエレメントどうしの噛合せ目および縫着部からさらに後方へ浸入してきた水は、他方の前身ごろに設けた浸入防止手段によって後方へ移動するのが抑制される。
【０００８】
本発明の衣服では、浸入防止手段は、スライドファスナを閉じた状態でスライドファスナの後側に対応し且つ丈方向に沿うよう設けられた止水面部と、該止水面部の幅方向一方端部から止水面部の表面側に戻るように折返されるとともに丈方向に沿う堰部とを備え、縫着部分はスライドファスナを閉じた状態で前記堰部の幅方向他方端部よりも他方の前身ごろ側に位置ずれしていることを特徴としている。
【０００９】
上記構成においては、スライドファスナを閉じると、そのエレメントどうしの噛合せ目および縫着部分から後方に浸入した水は、止水面部で後方への移動を抑制され、止水面部を幅方向一方側に移動した水は、堰部によって堰き止められる。
【００１０】
本発明の衣服では、見返しを構成する生地に丈方向の切目部が形成され、該切目部にポケット開口用スライドファスナが縫着されて見返しにポケットが取付けられ、前記ポケット開口用スライドファスナは、堰部に対して幅方向外側に配置されていることを特徴としている。
【００１１】
左右の前身ごろの合せ目部どうしがスライドファスナを介して着脱自在に設けられた衣服において見返しを設けて、見返しにポケットを取付けることで、衣服を便利に使用することができる。
そして、ポケット開口用スライドファスナは、堰部に対して幅方向外側に配置することで、水の移動が堰部で抑制されてポケット側に浸入するのを抑えられる。
【００１２】
本発明の衣服では、左右の前身ごろおよび見返しは、表面側に撥水加工が施され裏面側は透湿性を有して、裏面側から止水テープに施した接着剤が浸透可能に構成されていることを特徴としている。
【００１３】
上記構成によれば、縫着部分において一方の前身ごろおよび見返しの裏面に亙すようにして、止水テープを確実に固着することができる。
【発明の効果】
【００１４】
本発明の衣服は、スライドファスナのテープ部および一方の前身ごろの合せ目側端部が縫着されるとともに、縫着部分に見返しの合せ目側端部が一体に設けられ、縫着部分において一方の前身ごろおよび見返しの裏面に亙すようにして止水テープが固着されていることで、見返しを確実に設けることができるとともに、スライドファスナを閉じた際に、該エレメントどうしの噛合せ目から浸入した水および縫着部から浸入した水が後方へ移動するのを、他方の前身ごろに設けた浸入防止手段によってよって効果的に抑制することができる。
【図面の簡単な説明】
【００１５】
【図１】本発明の第一実施形態（第二の実施形態と共通）を示す上衣の全体概略正面図
【図２】同じく図１における前身ごろの幅方向中心側の平面断面図
【図３】本発明の第二の実施形態を示す、前身ごろの幅方向中心側の平面断面図
【図４】本発明の第三の実施形態を示す前身ごろの幅方向中心側の平面断面図
【発明を実施するための形態】
【００１６】
以下、本発明の第一の実施形態に係る衣服を、魚釣りの際に着用されるレインスーツの上衣を例に、図面に基づいて説明する。図１は上衣の全体概略正面図、図２は図１における前身ごろの幅方向中心側の平面断面図である。
これらの図に示すように、上衣１は左右の前身ごろ３Ａ，３Ｂからなる前身ごろ、後身ごろ４、左右の袖６、見返し８、浸入防止手段１２、左右の前立１３，１３、ネック部（カラー）１９を有する。
左右の前身ごろ３Ａ，３Ｂを形成する生地は、上衣１の後側で連続して後身ごろ４を形成している。
ネック部１９はハイネック状の構成を有する。ネック部１９が高いから、上衣１は防寒性に優れる。
上衣１を構成する生地（基本的に一枚生地）は、防水性および防寒性に優れたものを用いている。
【００１７】
左右の前身ごろ３Ａ，３Ｂの合せ目部２０，２１に、スライドファスナ７を構成するテープ部１０，１１がそれぞれ縫着されている。つまり、左右の前身ごろ３Ａ，３Ｂの合せ目部２０，２１どうしがスライドファスナ７を介して着脱自在に設けられている。なお、この実施形態における上衣１では、スライドファスナ７を前側で覆う前立は設けられていない。
スライドファスナ７はネック部１９の上端部までが達していて、着用者Ｈの顎に対してその外側にスライドファスナ７の上端部が位置する構成となっている。
なお、合せ目部２０，２１は、スライドファスナ７を閉じた際、すなわちスライドファスナ７のエレメント７ａ，７ｂどうしを噛合させても接触するものではない。しかしながら、ここでは、左右の前身ごろ３Ａ，３Ｂにおけるスライドファスナ７のテープ部１０，１１が縫着される部分の丈方向の領域を、合せ目部と称している。
なお、このスライドファスナ７の開閉操作は、周知のように引手７ｃを把持してスライダ７ｄを丈方向（上下方向）にスライドさせることで行う。
【００１８】
上衣１の前記生地、特に左右の前身ごろ３Ａ，３Ｂ、左右の前立１３，１３を構成する生地は、表面側に撥水加工（あるいは防水加工）が施され、裏面側は透湿性を有して、後述の止水テープ（以下シームテープという）１７に施した接着剤が裏面側から浸透可能に構成されており、これによって確実にシームテープ１７を貼着できるようになっている。
【００１９】
見返し８は、左前身ごろ３Ａの合せ目部２０の裏側に設けられている。見返し８は、左前身ごろ３Ａと同じ生地、同じ表面加工を施した一枚の帯状生地によって構成されている。なお、見返し８は、左前身ごろ３Ａの丈方向略全域に亙って設けられており、ネック部１９には至らない。またその幅は上衣１のサイズ等に応じて適宜設定される。
【００２０】
ここで、見返し８の取付け構造、およびその周辺の構成について、図２に基づいて説明する。
左前身ごろ３Ａ側のスライドファスナ７の一方のテープ部１０は、左前身ごろ３Ａの合せ目部側端部と、左前身ごろ３Ａの合せ目部の裏側に配置された見返し８の合せ目側端部に前後で挟まれている。左前身ごろ３Ａの合せ目部側端部の前側には、左前立１３の合せ目部側端部が重ねられ、見返し８の合せ目側端部、一方のテープ部１０、左前身ごろ３Ａの合せ目部側端部、および左前立１３の合せ目部側端部が一体となるよう縫着されて、左縫着部分１４が形成されている。
左前身ごろ３Ａと見返し８は、互いに裏面１５，１５が前後で対向されるよう設けられている。換言すれば、左前身ごろ３Ａの前面は撥水加工されている表面１６であり、見返し８の後面は撥水加工されている表面１６である。
【００２１】
左縫着部分１４に対する幅方向外側近傍において、左前身ごろ３Ａおよび見返し８の裏面１５，１５に亙すようにしてシームテープ１７が貼着されることで固着されている。このシームテープ１７は、左縫着部分１４の丈方向に対応する長さを有して貼着されている。なお、左前身ごろ３Ａと見返し８はその幅方向一方側が開放されている。
【００２２】
次に、侵入防止手段１２を説明する。これは、スライドファスナ７を閉じた際に、左縫着部分１４から浸入した水が後方への移動を抑制するよう構成されている。侵入防止手段１２は、左縫着部分１４およびスライドファスナ７のエレメント７ａ，７ｂどうしの噛合せ目の後側に対応する領域を含んで、且つ左縫着部分１４の丈方向長さを含む領域に設けられている。
【００２３】
浸入防止手段１２は、スライドファスナ７を閉じた状態でスライドファスナ７のエレメント７ａ，７ｂどうしの噛合せ目の後側に対応し且つ丈方向に沿うよう設けられた止水面部１８を有する。
また浸入防止手段１２は、止水面部１８の幅方向一方端部から止水面部１８の表面側に戻るように折返されるとともに丈方向に沿う堰部２２とを備えている。
左縫着部分１４は、スライドファスナ７を閉じた状態で堰部２２の幅方向他方端部よりも右前身ごろ３Ｂ側に位置ずれするよう設定されている。
【００２４】
止水面部１８は、右前身ごろ３Ｂがその合せ目側端部からさらに幅方向一方側に延長されることで形成されている。つまり止水面部１８は、右前見ごろ３Ｂと同じ生地で形成されており、撥水加工されている表面１６が前側にあるよう設けられている。
【００２５】
堰部２２は、後折返し部２３と前折返し部２４とから構成されている。後折返し部２３は、止水面部１８の幅方向端部を止水面部１８の幅方向一方端部から他方側に戻るように止水面部１８の表面に沿って一旦折返されることで形成されている。前折返し部２４は、後折返し部２３の他方側端部から一方側にさらに折返されて、後折返し部２３の前側に沿い、幅方向両端部が後折返し部２３に縫着されている。堰部２２の幅方向一方側と止水面部１８の間から、堰部２２の裏側に浸入した水は下方へ移動し、裏側には至らないよう構成されている。また、堰部２２の下端部は、止水面部１８に幅方向に沿うよう縫着されている。
【００２６】
右前身ごろ３Ｂの合せ目部２１には、スライドファスナ７のテープ部１１、右前立１３の合せ目側端部が順に前側に重ねられて、右前身ごろ３Ｂに縫着され、その右縫着部分において右前身ごろ３Ｂの裏面には、シームテープ１７ａが貼着されている。
【００２７】
左前立１３および右前立１３を説明する。
左前立１３および右前立１３は左右対称の構成であるから、同一の符号を付して説明する。左前立１３および右前立１３は、それぞれ前後一対の前立生地２６，２７と、後側の前立生地２７の幅方向途中に縫着されたスライドファスナ部３０，３１とを有する。このスライドファスナ部３０，３１は、上衣１とは別でその上側に装着するベスト等と一体化させるために設けられている。
【００２８】
上記構成の上衣１では、左前身ごろ３Ａの裏側に見返し８を設けているから、左前身ごろ３Ａがめくれた時でも生地の裏側が露呈しにくく、見返し８は左前身ごろ３Ａと同じ生地として、左前身ごろ３Ａがめくれた時には、該生地の表側が見えるから、上衣１の見栄えを向上させることができる。
【００２９】
ところで、生地に撥水加工が施されていても、生地どうしの縫着部分では、水の浸入がされ易い。しかしながら、この上衣１では、見返し８の取付部分において、左縫着部分１４に対する幅方向外側近傍では、左前身ごろ３Ａおよび見返し８の裏面１５，１５に亙すようにしてシームテープ１７が貼着されることで固着されている構成である。したがって、このシームテープ１７によって左縫着部分１４から後方へ向かって浸入した水は、シームテープ１７によって、見返し８と左前身ごろ３Ａとの間に浸入するのを抑制される。
そして、左縫着部分１４から後方へ向けて浸入した水は、止水面部１８によって後方へ浸入するのが抑制され、止水面部１８から幅方向一方側へ移動した水は、堰部２２によってそれ以上幅方向一方側へ移動するのを抑制され、下方へ移動し、排除される。
【００３０】
このように、左右の前身ごろ３Ａ，３Ｂどうしが、その合せ目部２０，２１に設けたスライドファスナ７を開閉することで着脱自在に設けられた上衣１に、その左前身ごろ３Ａに見返し８を縫着することで設けたとしても、見返し８の取付部分において、左縫着部分１４に対する幅方向外側に、左前身ごろ３Ａおよび見返し８の裏面１５，１５に亙すようにしてシームテープ１７を貼着することで、左縫着部分１４に対して幅方向一方側へ水が浸入するのを防止できる。また、左縫着部分１４から後方へ向けて浸入した水が、止水面部１８によって後方へ浸入するのを抑制でき、止水面部１８から幅方向一方側へ移動した水が、堰部２２によってそれ以上幅方向一方側へ移動するのを抑制できる。
【００３１】
次に、図１および図３に基づいて本発明の第二の実施形態を説明する。図３は前身ごろの幅方向中心側の平面断面図である。第二の実施形態が第一の実施形態と異なる構成は、見返し８にポケット３５を取付けている点であり、他の構成は第一の実施形態と同様である。
【００３２】
ポケット３５の構成について述べる。ポケット３５は、胸ポケットに相当する丈方向高さ位置に配置されている。ポケット３５は、ポケット開口用スライドファスナ３７とポケット本体３８とからなる。見返し８を構成する生地に丈方向の切目部が形成されて、該切目部に沿ってポケット開口用スライドファスナ３７のテープ部３９ａ，３９ｂが縫着されている。ポケット本体３８は着用者Ｈの手が見返し８の表面１６側から挿入されるよう、該生地が見返し８と左前身ごろ３Ａの間に挿入されている。
ポケット開口用スライドファスナ３７の幅方向位置は、スライドファスナ７を閉じた状態において、テープ部３９ａ，３９ｂ、特に幅方向内側のテープ部３９ａの見返し８との縫着部が、堰部２２の幅方向一方側端部よりも幅方向外側である。
【００３３】
上記構成において、左右の前身ごろ３Ａ，３Ｂの合せ目部２０，２１どうしがスライドファスナ７を介して着脱自在に設けられた上衣１において見返し８を設けて、見返し８にポケット３５を取付けることで、上衣１を便利に使用することができる。
そして、ポケット開口用スライドファスナ３７は、堰部２２に対して幅方向外側に配置することで、水の移動が堰部２２で抑制されてポケット３５側に浸入するのを抑えることができる。
【００３４】
次に、図４に基づいて本発明の第三の実施形態を説明する。図４は前身ごろの幅方向中心側の平面断面図である。第三の実施形態が第一の実施形態と異なる構成は、左縫着部分１４の構成であるから、他の部分については同一の符号を付してその説明を省略する。
【００３５】
本発明の第三の実施形態では、左前身ごろ３Ａを構成する生地を、左前身ごろ３Ａの合せ目部側端部において裏側に折返して見返し８を形成している。つまり左前身ごろ３Ａと見返し８を連続した生地で構成している。また、左前身ごろ３Ａの合せ目部側端部、スライドファスナ７のテープ部１０、および左前立１３の合せ目部側端部が前に向かって順に重ねられて縫着されることで左縫着部分１４が構成されている。
さらに、左縫着部分１４において、左前身ごろ３Ａの合せ目部側端部の生地に、シームテープ１７が、左前身ごろ３Ａの裏面１５および見返し８の裏面１５に亙るように貼着されることで固着されている。
他の構成は第一の実施形態と同様である。
【００３６】
この構成において、左縫着部分１４の前側から浸入した水は、シームテープ１７によって後方への移動を抑制される。一方で、スライドファスナ７のテープ部１０側へ浸入して後方へ移動することが考えられる。しかしながら、左縫着部分１４は、スライドファスナ７を閉じた状態で堰部２２の幅方向他方端部よりも右前身ごろ３Ｂ側に位置ずれするよう設定されているから、スライドファスナ７のテープ部１０側へ浸入して後方へ移動した水が、止水面部１８および堰部２２によって、後方へ移動するのを抑制することができる。
【符号の説明】
【００３７】
１…上衣、７…スライドファスナ、７ａ，７ｂ…エレメント、１０，１１…テープ部、１２…浸入防止手段、１３…左右の前立、１４…左縫着部分、１５…生地の裏面、１６…生地の表面、１７…シームテープ、１８…止水面部、２０，２１…合せ目部、２２…堰部
【図１】
2010163701.tif 000003
【図２】
2010163701.tif 000004
【図３】
2010163701.tif 000005
【図４】
2010163701.tif 000006